(57)【要約】【課題】本発明は、マザーボードの着脱が容易であるマザーボード固定装置を提供することを目的とする。【解決手段】本発明に係るマザーボード固定装置は、マザーボードを複数の貫通孔を有する第一側壁を備えるコンピューターケース内に固定するために用いられ、且つ第一固定部材、第二固定部材及びハンドルを備える。第一固定部材は、第一平板、第二平板及び第三平板を備え、第一平板と第二平板との間にはスライド溝が形成され、第二固定部材は、底板及び側板を備え、第三平板及び底板には、それぞれ複数の貫通孔に対応する第一鈎が形成され、側板には、鈎部が底板側に位置する第二鈎が設置され、第一鈎が貫通孔に係合されて、第一固定部材及び第二固定部材が第一側壁に固定される。マザーボードは、第一固定部材と第二固定部材及びハンドルとの間に固定される。【選択図】図４
2012248186.tif 000002
【特許請求の範囲】
【請求項１】
２列に配列された複数の貫通孔を有する第一側壁を備えるコンピューターケースにマザーボードを固定するためのマザーボード固定装置であって、
前記マザーボードが、対向する第一側辺及び第二側辺と、前記第一側辺及び前記第二側辺それぞれの一側端部を連結する第三側辺と、を有する、マザーボード固定装置において、
前記マザーボード固定装置は、第一固定部材と、第二固定部材と、前記第一固定部材及び前記第二固定部材の一端に、回転可能に設置されている２つのハンドルと、を備え、
前記第一固定部材は、平行に、且つ互いに離間して設置されている第一平板、第二平板及び第三平板を備え、前記第一平板と前記第二平板との間には、スライド溝が形成されており、前記第二固定部材は、互いに垂直な底板及び側板を備え、前記第三平板及び前記底板には、それぞれ前記複数の貫通孔に対応する第一鈎が形成され、前記側板には、鈎部が前記底板側に位置する第二鈎が形成され、
前記第三平板の第一鈎が、対応する一方の列の前記貫通孔に係合され、前記底板の第一鈎が他方の列の前記貫通孔に係合されることによって、前記第一固定部材及び前記第二固定部材が互いに対向して、且つ離間した状態で前記第一側壁に固定され、
前記マザーボードの第一側辺が前記スライド溝内に位置し、前記第二側辺が前記第二鈎によって前記第一側壁に係合され、前記第三側辺が前記ハンドルに係合されることによって、前記マザーボードは前記第一固定部材と前記第二固定部材と前記ハンドルとの間に固定されることを特徴とするマザーボード固定装置。
【請求項２】
前記第一側壁には、前記ハンドルと当接して前記マザーボードが離脱されることを防止するための当接部がさらに設置されていることを特徴とする請求項１に記載のマザーボード固定装置。
【請求項３】
前記第一側壁には、複数の係合片がさらに設置され、前記第三平板及び前記底板には、係合孔がそれぞれ設けられており、前記係合片は前記係合孔に係合されることを特徴とする請求項２に記載のマザーボード固定装置。
【請求項４】
前記係合片は、前記第一側壁に固定されている基部及び前記基部の上端部から所定方向に延伸し、且つその端部がやや上方に向かって湾曲している係合部を備え、
前記係合部が前記係合孔に係合されることを特徴とする請求項３に記載のマザーボード固定装置。
【請求項５】
前記係合片と前記貫通孔とは、互いに離間して設置され、且つそれぞれ異なる直線上に位置することを特徴とする請求項３または４に記載のマザーボード固定装置。
【発明の詳細な説明】
【技術分野】
【０００１】
本発明は、マザーボード固定装置に関するものである。
【背景技術】
【０００２】
マザーボードは、コンピューターの重要な電子回路基板であり、多くの精密部品が設置されているが、前記マザーボードを着脱する際、これらの精密部品は破損する恐れがある。従って、いかにマザーボードを安全に、且つ容易に着脱できるかが現在の課題になっている。
【０００３】
従来のマザーボード固定装置の構造としては、コンピューターケース内に突体を有する支持板が設置され、該突体の頂部の中央部にはマザーボードを固定するためのねじ穴が設けられ、また、前記マザーボード上には前記ねじ穴と対応する固定孔が設けられている。前記マザーボードを前記コンピューターケース内に固定する際、前記マザーボードの前記固定孔が前記突体のねじ穴に対応するように前記マザーボードを前記支持板に設置した後、ねじを前記固定孔から前記ねじ穴に順に挿入及び螺合して、前記マザーボードを前記コンピューターケース内に固定させる。しかし、この固定方法では、前記固定孔と前記ねじ穴とを対応させた後、工具（スクリュードライバー等）を利用して固定しなければならないので、着脱操作が複雑であり、且つ操作に不便である。
【発明の概要】
【発明が解決しようとする課題】
【０００４】
以上の問題点に鑑みて、本発明は、マザーボードの着脱が容易であるマザーボード固定装置を提供することを目的とする。
【課題を解決するための手段】
【０００５】
前記課題を解決するために、本発明に係るマザーボード固定装置は、２列に配列された複数の貫通孔を有する第一側壁を備えるコンピューターケースにマザーボードを固定する。前記マザーボードが、対向する第一側辺及び第二側辺と、前記第一側辺及び前記第二側辺それぞれの一側端部を連結する第三側辺と、を有する。前記マザーボード固定装置は、第一固定部材と、第二固定部材と、前記第一固定部材及び前記第二固定部材の一端に回転可能に設置されている２つのハンドルと、を備え、前記第一固定部材は、平行に、且つ互いに離間して設置されている第一平板、第二平板及び第三平板を備え、前記第一平板と前記第二平板との間には、スライド溝が形成されて、前記第二固定部材は、互いに垂直な底板及び側板を備え、前記第三平板及び前記底板には、それぞれ前記複数の貫通孔に対応する第一鈎が形成され、前記側板には、鈎部が前記底板側に位置する第二鈎が形成され、前記第三平板の第一鈎が対応する一方の列の前記貫通孔に係合され、前記底板の第一鈎が他方の列の前記貫通孔に係合されることによって、前記第一固定部材及び前記第二固定部材は、互いに対向して、且つ離間した状態で前記第一側壁上に固定され、前記マザーボードの第一側辺が前記スライド溝内に位置し、前記第二側辺が前記第二鈎によって前記第一側壁に係合され、前記第三側壁が前記ハンドルに係合されることによって、前記マザーボードは前記第一固定部材と前記第二固定部材と前記ハンドルとの間に固定される。
【発明の効果】
【０００６】
本発明のマザーボード固定装置は、前記マザーボードを前記第一固定部材及び前記第二固定部材と前記ハンドルとに当接させることで、コンピューターケース内に固定することができるので、前記コンピューターケース及び前記マザーボードにねじ穴及び固定孔を設ける必要がない。従って、ねじを使用しなくとも、前記マザーボードの着脱が可能であるため、非常に便利である。
【図面の簡単な説明】
【０００７】
【図１】本発明に係るマザーボード固定装置によってコンピューターケース内にマザーボードを固定している状態を示す図である。
【図２】図１に示した構造の分解図である。
【図３】本発明に係るマザーボード固定装置がコンピューターケース内に設置された状態を示す図である。
【図４】図３に示した構造の分解図である。
【図５】図３に示した構造を別の角度から見た分解図である。
【図６】図４に示したＶＩ部の拡大図である。
【図７】図５に示したＶＩＩ部の拡大図である。
【図８】図３に示したＶＩＩＩ−ＶＩＩＩ線に沿った断面図である。
【発明を実施するための形態】
【０００８】
以下、図面に基づいて、本発明に係るマザーボード固定装置について詳細に説明する。
【０００９】
図１及び図２に示したように、本発明に係るマザーボード固定装置４０は、マザーボード３０を固定するコンピューターケースの第一側壁１０と、該第一側壁１０に垂直な第二側壁２０と、を備える。
【００１０】
図３を併せて参照すると、前記マザーボード固定装置４０は、長条状の第一固定部材４１及び第二固定部材４２と、該第一固定部材４１及び第二固定部材４２の一端に、回転軸４４によって回転可能にそれぞれ設置された２つのハンドル４３と、を備える。前記ハンドル４３は、略「几」字状を呈する。前記第一固定部材４１及び前記第二固定部材４２が互いに対向して前記第一側壁１０の所定の位置に固定された時、前記第一固定部材４１と前記第二固定部材４２との間には、前記マザーボード３０を設置するための空間が形成される。
【００１１】
図４及び図５に示したように、前記第一側壁１０の前記第一固定部材４１が固定される位置には、３つの係合片１３が同一直線上に、且つ互いに離間して設置されている。また、平面視野において、前記３つの係合片１３のうち前記ハンドル４３側に近い２つの係合片１３の各々における第一側壁１０の長手方向でハンドル４３から離れる側（図４での係合片１３の右側）には、２つの貫通孔１２が同一直線上に、且つ互いに離間して設置されている。前記３つの係合片１３が位置する直線と前記２つの貫通孔１２が位置する直線とは、ずらされている。前記第一側壁１０の前記第二固定部材４２が固定される位置においても同様であるため、ここでは省略する。また、前記第一側壁１０上には、前記マザーボード固定装置４０のハンドル４３と当接して前記マザーボード３０が離脱することを防止するための当接部１１が設置されている。また、他の実施例においては、前記係合片及び前記貫通孔の数量は制限されない。
【００１２】
図６に示したように、各々の前記係合片１３は、前記第一側壁１０にそれぞれ固定されている基部１３１及びそれぞれ前記基部１３１の上端部から前記第二側壁２０に向かって延伸し、且つその上端がやや上方に向かって湾曲している係合部１３２を備える。
【００１３】
図８に示したように、前記第一固定部材４１は、第一平板４１１と、第二平板４１２と、第三平板４１３と、連接板４１４と、を備え、前記第二平板４１２は、前記第一平板４１１と前記第三平板４１３との間に位置し、前記第一平板４１１及び前記第三平板４１３それぞれに対して平行に、且つ離間して設けられている。前記連接板４１４は、前記第一平板４１１、前記第二平板４１２及び前記第三平板４１３それぞれの一側端部に対して垂直に延在しており、これら前記第一平板４１１、前記第二平板４１２及び前記第三平板４１３それぞれの一側端部に連接される。即ち、前記第一平板４１１、前記第二平板４１２及び前記第三平板４１３は全て前記連接板４１４に垂直である。
【００１４】
図７を併せて参照すると、前記第一平板４１１と前記第二平板４１２との間には、スライド溝４１０が形成されている。また、前記第三平板４１３には、前記第一側壁１０の係合片１３及び貫通孔１２にそれぞれ対応する係合孔４１３１及び第一鈎４１３２が形成されている。前記第一鈎４１３２は、前記第三平板４１３から下方（図８を参照）へ延伸する鈎部４１３３を備える。前記係合片１３は前記係合孔４１３１に挿入されて前記第三平板４１３に係合され、前記第一鈎４１３２は前記貫通孔１２に挿入されて前記第一側壁１０に係合される。
【００１５】
前記第二固定部材４２は、互いに垂直な底板４２０及び側板４２１を備える。前記底板４２０の構造は、前記第一固定部材４１の第三平板４１３の構造と同じである。即ち、前記底板４２０も、係合孔４１３１及び第一鈎４１３２を備える。側板４２１は、マザーボード３０が収容される空間の一辺を形成するように構成されており、前記側板４２１には、第二鈎４２２が形成され、前記第二鈎４２２の鈎部（図示せず）は前記底板４２０側に位置する。即ち、前記第二鈎４２２の鈎部が、前記マザーボード３０が設置される空間に向かって延伸している。
【００１６】
前記マザーボード３０を前記第一側壁１０に固定する際、まず、前記第一固定部材４１及び前記第二固定部材４２を前記第一側壁１０上に固定させる。該固定過程において、前記第一固定部材４１の第三平板４１３の係合孔４１３１には前記第一側壁１０の係合片１３を挿入し、前記第一側壁１０の貫通孔１２には前記第一固定部材４１の第三平板４１３の第一鈎４１３２を挿入した後、前記第一固定部材４１を前記当接部１１側に引いて、前記係合片１３及び前記第一鈎４１３２をそれぞれ前記係合孔４１３１及び前記貫通孔１２に係合させる。前記第二固定部材４２もこの同様の方法で、前記第一側壁１０上に固定される。その後、前記第二側壁２０を前記第一側壁１０に垂直に組み立てる。
【００１７】
前記第一固定部材４１及び前記第二固定部材４２を前記第一側壁１０上に固定した後、前記マザーボード３０の第一側辺３１を前記第一固定部材４１のスライド溝４１０に挿入する。次いで、前記マザーボード３０の第二側辺３２を前記第二固定部材４２の第二鈎４２２の鈎部に当接させた後、前記第二側辺３２を前記第二固定部材４２の底板４２０に向かって押圧して、前記マザーボード３０の第二側辺３２を前記第二固定部材４２の底板４２０と第二鈎４２２との間に位置させる。この時、前記マザーボード３０の第一側辺３１及び第二側辺３２は、それぞれ前記第一固定部材４１の第一平板４１１及び前記第二固定部材４２の第二鈎４２２の鈎部によって、前記マザーボード３０の高さ方向で規制される。次に、前記マザーボード３０の前記第四側辺３４を、前記マザーボード３０の第三側辺３３側から推進して前記第二側壁２０に当接させる。最後に、前記２つのハンドル４３をそれぞれ回転させて、前記２つのハンドル４３が前記マザーボード３０の第三側辺３３にそれぞれ係合するようにし、且つ前記２つのハンドル４３を前記当接部１１と前記マザーボード３０の第三側辺３３との間でそれぞれ規制させる。この時、前記当接部１１が前記ハンドル４３の回転をそれぞれ規制する。以上により、前記マザーボード３０は前記第一固定部材４１、前記第二固定部材４２、前記ハンドル４３及び前記第二側壁２０によって囲んで形成された領域に固定される。
【００１８】
前記マザーボード３０を取り外す際、前記当接部１１を下方へ押圧して、前記当接部１１の上表面を前記第一側壁１０の下表面より低くなるように位置させた（この状態は、前記当接部１１の上表面を下方へ押圧することによって実現される）後、前記ハンドル４３を前記第二側壁２０から離れる方向にそれぞれ回転させて、前記ハンドル４３と前記マザーボード３０との係合を解除する。次に、前記マザーボード３０を前記第二側壁２０から離れる方向に引くと、前記マザーボード３０は前記スライド溝４１０からスライドして、前記第一固定部材４１及び前記第二固定部材４２から離脱する。これにより、前記マザーボード３０を前記第一側壁１０から取り外すことができる。
【００１９】
また、前記ハンドル４３と前記マザーボード３０との係合を解除した後、前記マザーボード３０と前記第二固定部材４２の第二鈎４２２との係合が解除されるように、前記第二固定部材４２の第二鈎４２２を前記マザーボード３０から離れる方向に変形させる。これにより、前記マザーボード３０を前記第一固定部材４１のスライド溝４１０からスライドさせて取り外すこともできる。
【００２０】
上述したように、本発明のマザーボード固定装置は、前記マザーボード３０を前記第一固定部材４１及び前記第二固定部材４２と前記ハンドル４３とに当接させることで、コンピューターケース内に固定することができるので、前記コンピューターケース及び前記マザーボード３０にねじ穴及び固定孔を設ける必要がない。従って、ねじを使用しなくとも、前記マザーボード３０の着脱が可能であるため、非常に便利である。
【００２１】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２２】
１０  第一側壁
１１  当接部
１２  貫通孔
１３  係合片
１３１  基部
１３２  係合部
２０  第二側壁
３０  マザーボード
３１  第一側辺
３２  第二側辺
３３  第三側辺
３４  第四側辺
４０  マザーボード固定装置
４１  第一固定部材
４１０  スライド溝
４１１  第一平板
４１２  第二平板
４１３  第三平板
４１３１  係合孔
４１３２  第一鈎
４１３３  鈎部
４１４  連接板
４２  第二固定部材
４２０  底板
４２１  側板
４２２  第二鈎
４３  ハンドル
４４  回転軸
【図１】
2012248186.tif 000003
【図２】
2012248186.tif 000004
【図３】
2012248186.tif 000005
【図４】
2012248186.tif 000006
【図５】
2012248186.tif 000007
【図６】
2012248186.tif 000008
【図７】
2012248186.tif 000009
【図８】
2012248186.tif 000010